(57)【要約】【課題】ホース収納部にホースリールを用いることなく、巻いた状態のホースを横にして収納することのできる消火栓装置を提供する。【解決手段】本発明に係る消火栓装置１は、巻いた状態のホース３を横にして収納するホース収納部５を有し上面が開口した箱形状の本体部７と、本体部７の上面開口を覆う天板部９を備えた消火栓装置１であって、ホース収納部５は、矩形状の有底枠形状で、矩形の四隅から内側に所定距離離れた４箇所において巻き回途中のホース３に当接する棒状体２３を着脱可能に取り付けられるようになっており、ホース３は、外側から内側に巻いて最も内側の巻き列を形成した後該巻き列の上段において内側から外側に向かって巻くことを繰り返すように巻き回されていることを特徴とするものである。【選択図】  図１
2018114012.tif 000002
【特許請求の範囲】
【請求項１】
巻いた状態のホースを横にして収納するホース収納部を有し上面が開口した箱形状の本体部と、該本体部の上面開口を覆う天板部を備えた消火栓装置であって、
前記ホース収納部は、矩形状の有底枠形状で、矩形の四隅から内側に所定距離離れた４箇所において巻き回途中のホースに当接する巻き回用治具を着脱可能に取り付けられるようになっており、前記ホースは、外側から内側に巻いて最も内側の巻き列を形成した後該巻き列の上段において内側から外側に向かって巻くことを繰り返すように巻き回されていることを特徴とする消火栓装置。
【請求項２】
前記巻き回用治具は、前記ホース収納部の底部に立設可能な４本の棒状体からなることを特徴とする請求項１記載の消火栓装置。
【請求項３】
巻いた状態のホースを横にして収納するホース収納部を有し上面が開口した箱形状の本体部と、該本体部の上面開口を覆う天板部を備えた消火栓装置であって、
前記ホース収納部は、矩形状の有底枠形状であり、その底部にはホースの外側から内側への巻き列に対応した段差が設けられており、前記ホースはホース収納部の内面に圧接しながら下から上に巻いて一番外側の巻き列を形成した後、該巻き列の内側に、外側の巻き列のホースで支持しながら巻いて次の巻き列を形成することを繰り返して巻き回されていることを特徴とする消火栓装置。
【発明の詳細な説明】
【技術分野】
【０００１】
本発明は、トンネル等に設置される消火栓装置に関する。
なお、本明細書において、消火栓装置に関する位置関係を説明する用語としての「奥側」とは消火栓装置を監視員通路に設置した状態において、トンネルの壁面側であり、「手前側」とは車道側をいう。
【背景技術】
【０００２】
トンネル等に設置される消火栓装置は、例えば特許文献１に開示されたように、消火栓装置の筐体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
そして、特許文献２に開示のトンネル用消火栓装置においては、ホースを巻き回したホースリールを本体内に収納している。ホースリールは、回転軸が上下方向に向くようになっており、ホースは横方向に巻かれている。
【０００５】
しかしながら、リール式のものではホース引き出し時にホースリールが勢いよく回転するのを防止するためにホースリールに回転負荷をかけている。このため、ホース引き出し時には回転負荷に打ち勝つような強い力で引っ張る必要があり、この操作性の悪さから消火栓装置においては、ホースが縦方向に巻かれるタイプのものも含めてリール式はあまり使用されていないのが現状である。
【０００６】
他方、ホースリールを用いないホースの巻き回方法としては、例えば特許文献３の［発明の属する技術分野］の項に記載されたいわゆる内巻き式の巻き回方法が知られている。
内巻き式に関し、特許文献３では、「ホースの基端側をホース収納箱の内面に圧接しながら巻いて一番外側の巻き列を形成した後、該巻き列のホースの内側にホースを圧接しながら巻いて次の巻き列を形成する。このような工程を繰り返してホースをホース収納箱に収納している。」（特許文献３の段落［０００２］参照）と記載されている。
【先行技術文献】
【特許文献】
【０００７】
【特許文献１】特開２０１５−４４０３９号公報
【特許文献２】特開２００１−９０５３号公報
【特許文献３】特開２００２−２９１９２９号公報
【発明の概要】
【発明が解決しようとする課題】
【０００８】
特許文献３に開示の消火栓装置は、筐体の奥行きが短く、高さが高いタイプのものであり、ホースは巻いた状態の筒体の開口が手前から奥方向に向く、いわゆる縦巻きのものである。
しかしながら、トンネル内の監視員通路に設置するには、特許文献２に開示されているように、奥行きが長く高さの低い筐体が好ましく、この場合には、特許文献２で開示されたようにホースの巻きの軸が上下に向くように巻く、いわゆる横巻き式にせざるを得ない。
【０００９】
しかしながら、特許文献３で開示された内巻き式の巻き回方法（以下、従来方式という）をそのまま横巻き式に適用すると以下のような問題点がある。図９、図１０はこの問題点を説明する説明図である。図９、図１０の○はホース断面であり、○の中の数字は巻き順を示しており、以下、第○周目として説明する。（後述する図４〜図８において同じ）。
図９は巻き回が完了した状態を、図１０は巻き回途中の状態をそれぞれ示している。
【００１０】
図９に示すように、従来の内巻き式によれば、一番外側の列を下から順に巻いて最上になるとそこから一列内側に入って下に順位に巻いてゆく。この場合、最も外側の列を巻くときには特に問題にはならないが、図１０に示すように、一つ内側に入った列（図中第７周目）を上から下に巻くときには、ホースが空中に浮いた状態になって支えるものがないためにホースを手で支持しながら巻くことになり、巻き回が大変困難である
【００１１】
本発明はかかる課題を解決するためになされたものであり、ホース収納部にホースリールを用いることなく、巻いた状態のホースを横にして収納することのできる消火栓装置を提供することを目的としている。
【課題を解決するための手段】
【００１２】
（１）本発明に係る消火栓装置は、巻いた状態のホースを横にして収納するホース収納部を有し上面が開口した箱形状の本体部と、該本体部の上面開口を覆う天板部を備えた消火栓装置であって、
前記ホース収納部は、矩形状の有底枠形状で、矩形の四隅から内側に所定距離離れた４箇所において巻き回途中のホースに当接する巻き回用治具を着脱可能に取り付けられるようになっており、前記ホースは、外側から内側に巻いて最も内側の巻き列を形成した後該巻き列の上段において内側から外側に向かって巻くことを繰り返すように巻き回されていることを特徴とするものである。
【００１３】
（２）また、上記（１）に記載のものにおいて、前記巻き回用治具は、前記ホース収納部の底部に立設可能な４本の棒状体からなることを特徴とするものである。
【００１４】
（３）本発明に係る消火栓装置は、巻いた状態のホースを横にして収納するホース収納部を有し上面が開口した箱形状の本体部と、該本体部の上面開口を覆う天板部を備えた消火栓装置であって、
前記ホース収納部は、矩形状の有底枠形状であり、その底部にはホースの外側から内側への巻き列に対応した段差が設けられており、前記ホースはホース収納部の内面に圧接しながら下から上に巻いて一番外側の巻き列を形成した後、該巻き列の内側に、外側の巻き列のホースで支持しながら巻いて次の巻き列を形成することを繰り返して巻き回されていることを特徴とするものである。
【発明の効果】
【００１５】
本発明に係る消火栓装置は、巻いた状態のホースを横にして収納するホース収納部を有し上面が開口した箱形状の本体部と、該本体部の上面開口を覆う天板部を備えたものであって、前記ホース収納部は、矩形状の有底枠形状で、矩形の四隅から内側に所定距離離れた４箇所において巻き回途中のホースに当接する巻き回用治具を着脱可能に取り付けられるようになっており、前記ホースは、外側から内側に巻いて最も内側の巻き列を形成した後該巻き列の上段において内側から外側に向かって巻くことを繰り返すように巻き回されていることにより、ホース収納部にホースリールを用いることなく、巻いた状態のホースを横にして収納することができる。このため、ホースリールを用いたもののようにホースの引き出しに支障がなく円滑なホースの引き出しができ、火災時の消火活動を迅速かつ円滑に行うことができる。
【図面の簡単な説明】
【００１６】
【図１】本発明の実施の形態１に係る消火栓装置の開扉状態の斜視図である。
【図２】本発明の実施の形態１に係る消火栓装置の閉扉状態の斜視図である。
【図３】図１に示した消火栓装置におけるホースの巻き回方法の説明図である（その１）。
【図４】図１に示した消火栓装置におけるホースの巻き回方法の説明図である（その２）。
【図５】本発明の実施の形態２に係る消火栓装置におけるホースの巻き回方法の説明図である（その１）。
【図６】本発明の実施の形態２に係る消火栓装置におけるホースの巻き回方法の説明図である（その２）。
【図７】本発明の実施の形態２に係る消火栓装置におけるホースの巻き回方法の他の態様の説明図である（その１）。
【図８】本発明の実施の形態２に係る消火栓装置におけるホースの巻き回方法の他の態様の説明図である（その２）。
【図９】発明が解決しようとする課題を説明する説明であって、従来方式の巻き回方法の説明図である（その１）。
【図１０】発明が解決しようとする課題を説明する説明であって、従来方式の巻き回方法の説明図である（その２）。
【図１１】トンネル内の車道の路肩に構築された監視員通路に設けられた設置用空間内を説明する説明図である。
【発明を実施するための形態】
【００１７】
［実施の形態１］
本実施の形態に係る消火栓装置は、設置場所が限定されるわけでないが、例えばトンネル内の車道の路肩に構築された監視員通路に設けられた設置用空間内に設置される場合に好適なものである。
そこで、まず消火栓装置の設置に好適な監視員通路の設置用空間について図１１に基づいて説明する。
図１１は、トンネルの路肩の監視員通路８３の一部を示したものであり、図中、８１はトンネル壁面、８３は監視員通路、８５は車道である。
【００１８】
設置用空間８７は、図１１に示すように、監視員通路８３の前壁８９から監視員通路８３の車道幅方向に切り欠くように設けられ、監視員通路８３の軸線に直交する断面では設置用空間８７を形成する壁がＬ字形状になっている。監視員通路８３の路面には設置用空間８７の上面に該当する開口部があり、該開口部の開口縁部９１は、後述する消火栓装置１の天板部９の周縁部（張出し部１３）が載置される３辺の部分が一段低くなった段部になっている。
【００１９】
上記のような設置用空間８７への設置に好適な本実施の形態の消火栓装置１を、図１〜図４に基づいて説明する。
消火栓装置１は、図１に示すように、巻いた状態のホース３を横にして収納するホース収納部５を有し上面が開口した箱形状の本体部７と、本体部７の上面開口を覆う天板部９を備えている。
以下、消火栓装置１を構成する各部について詳細に説明する。
【００２０】
＜本体部＞
本実施の形態における本体部７は、ホース収納部５と消火器収納部１１を有し、図１、図３に示すように、上面が開口した略直方体形状をしている。
本体部７の形状は、高さよりも奥行きの大きい扁平な直方体形状をしている。
本体部７の両側部及び後辺部（奥側の辺部）には、外方に張出す張出し部１３が設けられている。
張出し部１３は、本体部７を設置用空間８７内に収容する際に、設置用空間８７の開口縁部９１に形成された段部に載置する。これによって、張出し部１３及び天板部９と、監視員通路８３の路面とが面一になる。なお、張出し部１３は少なくとも両側の２辺に設けられれば良く、その場合は開口縁部９１の段部も両側の２辺にだけあれば良い。
【００２１】
本体部７の前面部には、赤色表示灯１５、非常時であることを監視員に知らせるための非常ボタン１７、非常ボタン１７を押したときに点灯する非常ランプ１９が設けられている。
以下、ホース収納部５と消火器収納部１１について詳細に説明する。
【００２２】
《ホース収納部》
ホース収納部５は、高さよりも奥行きの大きい扁平な矩形状の有底枠形状であり、ホース収納部５の図中右側の手前側には、消火栓弁（図示無し）を操作するための操作レバー２１が設けられている。
ホース収納部５には、ホース３を巻いた状態で横向き（巻いた状態でホース３により形成される筒体を縦にした向き）にして収納されている。
そして、ホース収納部５には、矩形の四隅から内側に所定距離入った４箇所において巻き回途中のホース３に当接する巻き回用治具としての４本の棒状体２３を着脱して立設可能に取り付けるための取付部２５が設けられている。なお、取付部２５は、ホース３を巻き回するとき以外の通常時は棒状体２３を接続しておらず、開口部となるため、通常時においては取付部２５は水抜き穴としても機能する。
【００２３】
また、ホース３は、ホース収納部５内において外側から内側に向かって巻いた後に上側に行き内側から外側に向かって巻かれている。なお、ホース３は断面略円形の形状を保つ保形ホースである。
このようなホース３の巻き回方法について、図３、図４に基づいて説明する。
ホース３が巻かれていない状態では、図３（ａ）に示すように、ホース収納部５の底部に設けられた取付部２５には治具は装着されていない。取付部２５の具体的な態様は特に限定されないが、例えば雌ネジが形成されたナットを底部に固定したようなものであってもよい。この場合には、棒状体２３の下端に前記雌ネジに螺合する雄ネジを形成しておけばよい。
【００２４】
ホース３を巻き回するにあたり、まず、図３（ｂ）に示すように、取付部２５に棒状体２３を立設する。この状態で、ホース３の巻き回を開始するが、まず図４（ａ）に示すように、ホース収納部５の内面に押し付けるようにしてホース３の最外周（第１周目）を巻き、次に最外周のホース３の内側に最外周のホース３に押しつけながら第２周目を巻き、さらにその内側に最も内側の巻き列である第３周目を巻き回する。そして、第４周目は、図４（ｂ）に示すように、第３周目の上段に巻き回するが、このとき第４周目を内側から支持するものがないと巻き回できないところ、本実施の形態では、棒状体２３が巻き回の支持部となって巻き回が可能になっている。つまり、１段目（第１周目〜第３周目）はホース３の内側またはホース収納部５の内側に当接するようにホース３を外側方向に力を加えながら巻き回すが、２段目（第４周目〜第６周目）は内側方向に力を加えながら巻き回していくため、棒状体２３が必要となり、２段目は棒状体２３またはホース３の外周に当接するように巻き回される。
【００２５】
第５周目は、第４周目の外側に巻き回し、同様にして第６周目まで巻き回する。第７周目は第１周目と同様に巻き回して、以後は同様の巻き回を繰り返し（図４（ｃ）参照）、最終的には図４（ｄ）、図３（ｃ）に示す状態となる。
図４（ｄ）、図３（ｃ）に示すように巻き回が完了すると、図３（ｄ）に示すように、棒状体２３を取り外して、巻き回が完了する。
なお、巻き回が完了したホース３の収納状態で、ホース３の先端に取り付けられた消火ノズル２７が手前寄りに載置又は保持されている。
また、本実施の形態１では、各段にホース３を３周巻き回しているものとして説明したが、何周巻き回すかはホース収納部５の大きさや棒状体２３の立設位置、ホース３の太さ等により適宜設定される。
【００２６】
《消火器収納部》
消火器収納部１１は、複数（本例では２本）の消火器２９を横に寝かせた状態で収納できるようになっている。本実施の形態では、図１に示すように、第２手前側天板部３７の下方に２本の消火器２９を本体部７の幅方向に向けて寝かせて収納している。
なお、本例の消火器収納部１１は、消火器２９の上部側が若干だけ高くなるように消火器２９を傾斜させて収納している。
消火器２９を取り出す際には、消火器２９の上部に設けられたレバー３０を持つことになるので、消火器２９の上部側を高くすることで、消火器２９を横に寝かせた状態であってもレバー３０を持ちやすくなり、消火器２９の取り出しが容易になる。
【００２７】
なお、消火器収納部１１における消火器２９が載置される載置面を手前側に向かってさらに下り傾斜となる傾斜面にしてもよい。このような傾斜面を設けることで、手前側の消火器２９を取り出すと奥側の消火器２９が手前側に滑って移動するので、取り出しがより容易になる。
【００２８】
＜天板部＞
天板部９は、図２に示すように、奥側と手前側とで大きく２分割されており、奥側は奥側天板部３１で構成され、手前側は点検用天板部３３、第１手前側天板部３５及び第２手前側天板部３７で構成されている。
天板部９は、閉止状態では、監視員通路８３の路面として作業者が通行できる。
【００２９】
奥側天板部３１は、常時は開扉することなく、点検時に開扉できるようにねじ等で固定されている。
天板部９の分割位置は、ホース収納部５の上方に位置している。このため、図１に示すように、第１手前側天板部３５を開扉した状態でも、平面視で奥側天板部３１がホース３を覆うようになっている。このような配置にしたことで、奥側天板部３１がホース３の引き出し時にホース３に当接してホース引出し規制手段として機能する。すなわち、仮にホース３の上方を覆うものが何もない場合、操作レバー２１を操作して消火栓弁を開放してからホース３を引きだす際に、ホース３の動きを規制するものがないため、ホース３が水圧で暴れたり、あるいは無秩序にほどけてしまう場合があるが、奥側天板部３１がホース３を覆うように配置されていることで、ホース３に当接してホース３の暴れを防止したり、無秩序にほどけようとするのを規制したりすることができる。
なお、本実施の形態１では、天板部９の分割位置は、天板部９の奥行き方向における中央部に位置しており、ホース収納部５の奥行き方向における中央部に位置している。
【００３０】
第１手前側天板部３５及び第２手前側天板部３７は、奥側の辺部が奥側天板部３１に回動可能に取り付けられている。
そして、第１手前側天板部３５及び第２手前側天板部３７は、ガススプリング３９によって常時開扉方向に付勢されると共に、開扉状態では、図１に示すように起立保持手段４１によって起立状態で保持されるようになっている。
【００３１】
ガススプリング３９は、シリンダロッド４３の下端側が本体部７の底部に回動可能に固定され、シリンダ４５の上端側が第１手前側天板部３５及び第２手前側天板部３７にそれぞれ回動可能に連結されている。ガススプリング３９は第１手前側天板部３５、第２手前側天板部３７を閉扉状態から回動させて開扉状態にする付勢力を有している。そして、第１手前側天板部３５及び第２手前側天板部３７には、第１手前側天板部３５及び第２手前側天板部３７を閉扉状態で保持したり、開扉させたりするための操作部４７が設けられている。操作部４７は、ラッチ４９（図１参照）を有しており、閉扉状態ではこのラッチ４９が本体部７に係止して閉扉状態を保持するようになっている。
【００３２】
なお、ラッチ４９のみでは第１手前側天板部３５や第２手前側天板部３７の閉扉状態を確実に保持できないので、本実施の形態ではラッチ４９の動作と連動するラッチ機構５１を設けている。ラッチ機構５１は、ワイヤ５３を介して操作部４７と繋がっており、操作部４７を開操作することで操作部４７のラッチ４９とラッチ機構５１を同時に開状態にでき、操作部４７の操作のみで第１手前側天板部３５及び第２手前側天板部３７の開扉操作ができる。
また、上記では操作部４７を操作するとラッチ４９とラッチ機構５１が連動させる手段をワイヤ５３として説明したが、ラッチ４９とラッチ機構５１が連動すれば何でも良く、例えば、ステンレス等の棒形状のものを用いても同様の連動を行うことができる。
【００３３】
起立保持手段４１は、一端側が第１手前側天板部３５及び第２手前側天板部３７に回動可能に取り付けられ、他端側が本体部７に係止可能に設けられた幅狭の板状部材によって構成されている（図３参照）。
起立保持手段４１の他端は、本体部７に設けられた細溝５５に挿入されており、第１手前側天板部３５又は第２手前側天板部３７が起立状態になったときに細溝５５の周縁に係止可能になっている。
なお、第１手前側天板部３５及び第２手前側天板部３７は起立状態で直立するのが望ましいが、若干であれば前傾したり後傾したりしてもよく、閉扉状態から８０度〜１００度程度回動して保持されていればよい。
【００３４】
点検用天板部３３は、常時はねじ固定されて閉扉されており、点検時のみにねじを外すことで開放可能になっている。なお、点検用天板部３３の下方には、図示しない配管系統等が配設されている。
【００３５】
上記のように構成された本実施の形態の動作を説明する。
第１手前側天板部３５が閉扉の状態（図２参照）から、第1手前側天板部３５の操作部４７を操作してラッチ４９及びラッチ機構５１の係止解除を行うと第１手前側天板部３５はガススプリング３９の付勢力によって自動的に開扉し、起立保持手段４１により図１に示すように起立状態で保持される。
第２手前側天板部３７も第１手前側天板部３５と同様の動作によって開扉する。したがって、第１手前側天板部３５及び第２手前側天板部３７の開扉作業を極めて円滑かつ容易に行うことができる。
なお、ガススプリング３９の付勢力は、第１手前側天板部３５および第２手前側天板部３７を自動的に開扉する程度の力があることが好ましいが、それよりも付勢力は弱くても良く、その場合であっても、第１手前側天板部３５および第２手前側天板部３７を手動で開扉する際の補助力となる。
【００３６】
上記のように構成された本実施の形態の消火栓装置１においては、通常時は天板部９が閉扉状態になっており、天板部９を監視員通路８３として使用できる。
火災時において、例えばホース３を引きだすためには、操作部４７を操作して第１手前側天板部３５を開扉することになるが、この開扉操作は、車道８５側からでも、監視員通路８３の上からでも行うことができる。したがって、特許文献２に開示されたもののように、車道８５側からのみトレイの引き出しをするものに比較して、円滑な消火活動ができる。
【００３７】
第１手前側天板部３５及び／又は第２手前側天板部３７を開扉すると、ホース３の引き出しや、消火器２９の取り出しをすることになるが、この場合においても、車道８５側からでも、監視員通路８３側からでもできる。
また、第１手前側天板部３５と第２手前側天板部３７は開扉状態で、図１に示すように起立状態を保持するので、奥側天板部３１を通路として使用することができ、この点でも、作業者の移動が円滑にできるため、消火活動を効率的に行うことができる。
【００３８】
第１手前側天板部３５を開扉してホース３による消火を行う場合には、操作レバー２１を操作すると共に、消火ノズル２７を持ってホース３を引き出す。このとき、ホースリールを用いていないので、ホース３の引き出しに過大な力を要さず円滑な引き出しが可能になっている。しかも、奥側天板部３１があることで、ホース３が水圧で暴れたり、あるいは無秩序にほどけてしまうのを防止できる。
【００３９】
なお、上記の実施の形態においては、巻き回用治具として４本の棒状体２３を例示したが本発明の巻き回用治具はこれに限られるものではなく、矩形の四隅から内側に所定距離離れた４箇所において巻き回途中のホースに当接する機能を有するものであればその形状は特に限定されず、例えば矩形状の箱形状のものであってもよい。巻き回用治具が箱形状の場合、ホース収納部５に固定されなくても巻き回途中のホースに当接する機能を有する。
【００４０】
また、上記の実施の形態では、天板部９を奥行き方向で２分割した例を示したが、本発明の天板部９は奥行き方向で分割されていなくてもよい。この場合、天板部９の奥側の辺部を本体部７上辺部に回動可能に取り付けるようにすればよい。
【００４１】
［実施の形態２］
実施の形態１において、ホース３は、外側から内側に向かって巻いた後に上側に行き内側から外側に向かって巻かれていたが、本実施の形態２の消火栓装置は、ホース３の巻き回方法が異なっており、他の構成は実施の形態１と同じである。なお、ホース３の巻き回方法は異なるが、最終的にはホース３を巻いた状態で横向き（巻いた状態でホース３により形成される筒体を縦にした向き）にして収納される点については実施の形態１と同様である。
そこで、以下においては、ホース３の巻き回方法のみを説明する。
【００４２】
本実施の形態２のホース３は、図５に示すように、ホース収納部５の内面に圧接しながら下から上に巻いて一番外側の巻き列を形成した後、該巻き列の内側において、外側の巻き列の上下に配置されたホース３とホース３の間にホース３を圧接しながら巻き回することを繰り返している。
【００４３】
上記のような、巻き回方法を実現するために、ホース収納部５の底部には、外側から内側への巻き列の位置に対応した段差が形成されている。具体的には、第２列目の位置にリング状の凸部５９が形成されている。段差を設ける目的は、外側の巻き列と内側の巻き列でホース径の約半分の高さの差を設けるためであるため、凸部５９の高さは、ホース径の半分の高さからホース径の半分の高さよりやや低い範囲に設定されている。なお、外側から内側への巻き列の位置に対応した段差は凸部５９に限らず、凹部でも良い。
【００４４】
図５、図６に基づいて本実施の形態２の巻き回方法を説明する。
第１周目をホース収納部５の内面に押しつけながら巻き回し、その上に第２周を巻き回し、さらにその上に第３周、第４周、第５周、そして最外周における最上部となる第６周を巻き回する（図６（ａ）参照）。次に、最外周列の内側に第７周を巻き回するが、このとき図６（ｂ）に示すように第６周目のホース３よりもホース径の半分くらい上方に配置して、第６周目のホース３の上半分の部分にホース３を載せるようにすることで、第７周目を第６周目のホース３で支持して巻き回することができる。
【００４５】
第８周目は、第５周目と第６周目のホース３の間に位置させることで、第５周目と第６周目のホース３に押し付けると共に第５周目のホース３で支持して巻き回する。同様にして第１２周面まで巻き回する。第１２周面は、図６（ｃ）に示すように、凸部５９の上面で支持することになる。
そして、第１３周目は、第３列目となり、ホース収納部５の底から順に上に向けて巻き回して、第１８周目まで巻き回することで、巻き回が完了する（図６（ｄ）参照）。
【００４６】
このように、本実施の形態２によれば、従来の内巻き式と同様に外側の列を下から上に巻き回して、その内側の列を上から下に巻き回するときに外側のホース３によってホース３を支持することで、これを可能にしている。
なお、図５、６の場合、凸部５９は偶数の巻き列に対応するように設けられ、それは第４周目以降もホース３が巻き回されたとしても適用される。
【００４７】
なお、ホース収納部５の底部に、外側から内側への巻き列に対応した段差を形成する方法としては、図５、図６に示すものに限られず、例えば図７に示すように、最外周（第１列目）に対応する位置にホース径の半分の高さからホース径の半分よりやや高い高さの範囲に設定されたリング状の第１凸部６１を、第３列に対応する位置にリング状の第２凸部６３を形成するようしてもよい。
この場合には、図７、図８（ｂ）に示すように、第２列目の最上部である第７周目は第５周目と第６周目の間に配置して、第７周目のホース３は、第５周目のホース３で支持するようにすればよい。
【００４８】
第２列目の最下部となる第１２周目のホース３はホース収納部５の底部、つまり第１凸部６１と第２凸部６３の間に巻き回される。そして、第１３周目のホース３は第２凸部６３の上面に載置されて巻き回され、さらに上方に巻き回されて第１８周目で巻き回が完了する。
なお、図７、８の場合、凸部６１、６３は奇数の巻き列に対応するように設けられ、それは第５周目以降もホース３が巻き回されたとしても適用される。
また、図７、８の例では、最外周（第１列目）および第３列に対応する位置に凸部６１、６３が設けられるものとして説明したが、それだけに限らず、凹部でも良く、また凸部と凹部を組み合わせても良い。
【００４９】
実施の形態２の凸部は、奇数列または偶数列に交互に設けられれば良く、どちらの場合であっても、巻き回用治具を用いることなく、ホース３を内巻きにしてホース収納部５に収納することができる。
また、凸部はリング状の凸条部でなくても良く、凸部が同一円周上に複数配置されていれば良い。その場合であっても、ホース３は保形ホースであるため、巻き回すことが可能となる。
また、実施の形態２では、ホース３を巻き回した列を３列にするものとして説明したが、ホース３を巻き回した列を何列にするかはホース収納部５の大きさや棒状体２３の立設位置、ホース３の太さ等により適宜設定される。
【００５０】
また、実施の形態１、２において、ホース収納部５の内面には、最外周のホース３の最上部を示す目印をつけても良い。そうすることで、実施の形態１の場合であれば、ホース３の巻き回しの完了のタイミングが分かり、実施の形態２の場合であれば、最外周のホース３の巻き回し完了のタイミングが分かり、内側のホース３の巻き回しに移行できる。
【符号の説明】
【００５１】
１  消火栓装置
３  ホース
５  ホース収納部
７  本体部
９  天板部
１１  消火器収納部
１３  張出し部
１５  赤色表示灯
１７  非常ボタン
１９  非常ランプ
２１  操作レバー
２３  棒状体
２５  取付部
２７  消火ノズル
２９  消火器
３０  レバー
３１  奥側天板部
３３  点検用天板部
３５  第１手前側天板部
３７  第２手前側天板部
３９  ガススプリング
４１  起立保持手段
４３  シリンダロッド
４５  シリンダ
４７  操作部
４９  ラッチ
５１  ラッチ機構
５３  ワイヤ
５５  細溝
５９  凸部
６１  第１凸部
６３  第２凸部
＜監視員通路＞
８１  トンネル壁面
８３  監視員通路
８５  車道
８７  設置用空間
８９  前壁
９１  開口縁部
【図１】
2018114012.tif 000003
【図２】
2018114012.tif 000004
【図３】
2018114012.tif 000005
【図４】
2018114012.tif 000006
【図５】
2018114012.tif 000007
【図６】
2018114012.tif 000008
【図７】
2018114012.tif 000009
【図８】
2018114012.tif 000010
【図９】
2018114012.tif 000011
【図１０】
2018114012.tif 000012
【図１１】
2018114012.tif 000013